(57)【要約】（課題）本発明は、電子商取引技術に関し、特に、商品発表方法、サーバー及びシステムに関するものである。（解決手段）商品発表方法は、クライアントが、商品情報を提出し、商品情報をサーバーに送信するステップと、サーバーが、商品情報により、データベースにおいて商品識別子に対応する予定時間帯内の商品注文情報を照会するステップと、サーバーが、商品注文情報を処理することにより、商品の販売平均価格及び値下げ幅を取得するステップと、サーバーが、商品情報と、商品識別子に対応する販売平均価格及び値下げ幅とを記憶するステップと、クライアントが、商品情報と、販売平均価格及び値下げ幅とを取得して表示するステップと、を含む。また、商品発表サーバーと商品発表システムを提供する。（効果）商品注文情報が販売状況を客観的に反映するため、商品注文情報により、客観的な販売平均価格を得ることができる。販売者は、商品を発表する時に、販売平均価格及び値下げ幅を書き込む必要がなく、システムが商品注文情報により、販売平均価格及び値下げ幅を自動的に取得する。従って、上記の方法によって、販売者が虚偽を弄することを効果的に避けることができ、真実且つ正確な値下げ幅を提供することができる。【選択図】図１
2014521136.tif 000002
【特許請求の範囲】
【請求項１】
クライアントが、商品情報を提出し、前記商品情報をサーバーに送信するステップと、
前記サーバーが、前記商品情報により、データベースにおいて商品識別子に対応する予定時間帯内の商品注文情報を照会するステップと、
前記サーバーが、前記商品注文情報を処理することにより、商品の販売平均価格及び値下げ幅を取得するステップと、
前記サーバーが、前記商品情報と、前記商品識別子に対応する前記販売平均価格及び値下げ幅とを記憶するステップと、
前記クライアントが、前記商品情報と、販売平均価格及び値下げ幅とを取得して表示するステップと、
を含む商品発表方法。
【請求項２】
前記サーバーが前記商品注文情報を処理することにより商品の販売平均価格及び値下げ幅を取得するステップは、
前記サーバーが、商品注文情報における商品販売価格を読み取り、前記商品販売価格により、予定時間帯内の商品の販売平均価格を求めるステップと、
前記サーバーが、商品の現価格を取得し、前記商品の現価格と前記販売平均価格とを比較して、商品の値下げ幅を取得するステップと、
を含むことを特徴とする請求項１に記載の商品発表方法。
【請求項３】
前記サーバーが商品注文情報における商品販売価格を読み取るステップの前に、
データベースに前記販売平均価格が存在するか否かを判断し、存在する場合は、前記サーバーが商品の現価格を取得し、前記商品の現価格と前記販売平均価格とを比較して、商品の値下げ幅を取得するステップに移行し、存在しない場合は、前記サーバーが商品注文情報における商品販売価格を読み取るステップに移行するステップを更に含むことを特徴とする請求項２に記載の商品発表方法。
【請求項４】
前記サーバーが、クライアントからのデータリクエストを受信し、前記データリクエストにおける商品識別子により、対応する商品の販売平均価格及び値下げ幅を抽出し、前記販売平均価格及び値下げ幅をクライアントに返すステップと、
前記クライアントが、前記商品の販売平均価格及び値下げ幅を受信して表示するステップと、
を更に含むことを特徴とする請求項１乃至３のいずれか１項に記載の商品発表方法。
【請求項５】
前記サーバーが、クライアントからのサーチリクエストを受信し、前記サーチリクエストにおけるキーワードにより、前記キーワードにマッチする商品サーチ結果をサーチするステップと、
前記商品サーチ結果の商品識別子により、対応する販売平均価格及び値下げ幅を抽出し、前記販売平均価格及び値下げ幅をクライアントに返すステップと、
前記クライアントが、前記商品サーチ結果を表示し、前記商品の販売平均価格及び値下げ幅を対応的に表示するステップと、
を更に含むことを特徴とする請求項１乃至３のいずれか１項に記載の商品発表方法。
【請求項６】
クライアントから提出された商品情報を受信するモジュールと、
前記商品情報により、データベースにおいて商品識別子に対応する予定時間帯内の商品注文情報を照会する照会モジュールと、
前記商品注文情報を処理することにより、商品の販売平均価格及び値下げ幅を取得する処理モジュールと、
前記商品情報と、前記商品識別子に対応する前記販売平均価格及び値下げ幅とを記憶する記憶モジュールと、
前記商品情報と、前記商品識別子に対応する前記販売平均価格及び値下げ幅とをクライアントにフィードバックするフィードバックモジュールと、
を備えることを特徴とする商品発表サーバー。
【請求項７】
前記処理モジュールは、
商品注文情報における商品販売価格を読み取り、前記商品販売価格により、予定時間帯内の商品の販売平均価格を求める平均価格取得モジュールと、
商品の現価格を取得し、前記商品の現価格と前記販売平均価格とを比較して、商品の値下げ幅を取得する値下げ幅取得モジュールと、
を備えることを特徴とする請求項６に記載の商品発表サーバー。
【請求項８】
前記処理モジュールは、
データベースに前記販売平均価格が存在するか否かを判断し、存在する場合は、前記値下げ幅取得モジュールに商品の現価格を取得し、前記商品の現価格と前記販売平均価格とを比較して商品の値下げ幅を取得することを通知し、存在しない場合は、前記値下げ幅取得モジュールに商品注文情報における商品販売価格を読み取ることを通知する判断モジュールを更に備えることを特徴とする請求項７に記載の商品発表サーバー。
【請求項９】
前記請求項６乃至８のいずれか１項に記載のサーバーと、
商品情報を提出して、前記商品情報を前記サーバーに送信し、前記サーバーから前記商品情報と、前記商品識別子に対応する前記販売平均価格及び値下げ幅とを取得して表示するクライアントと、
を備えることを特徴とする商品発表システム。
【請求項１０】
前記サーバーは、
クライアントからのデータリクエストを受信し、前記データリクエストにおける商品識別子により、対応する商品の販売平均価格及び値下げ幅を抽出し、前記フィードバックモジュールを呼び出して、対応する前記販売平均価格及び値下げ幅をクライアントに返すデータリクエスト処理モジュールを更に備え、
前記クライアントは、対応する前記商品の販売平均価格及び値下げ幅を受信して表示する表示モジュールを更に備える
ことを特徴とする請求項９に記載の商品発表システム。
【請求項１１】
前記サーバーは、
クライアントからのサーチリクエストを受信し、前記サーチリクエストにおけるキーワードに基づいて、前記キーワードにマッチする商品サーチ結果をサーチするサーチモジュールと、
前記商品サーチ結果の商品識別子により、対応する販売平均価格及び値下げ幅を抽出し、前記フィードバックモジュールを呼び出して、対応する前記平均販売価及び値下げ幅をクライアントに返す抽出モジュールと、を更に備え、
前記クライアントは、前記商品サーチ結果を表示し、前記商品の販売平均価格及び値下げ幅を対応的に表示する表示モジュールを更に備える
ことを特徴とする請求項９に記載の商品発表システム。
【発明の詳細な説明】
【技術分野】
【０００１】
本発明は、電子商取引技術に関し、特に、商品発表方法、サーバー及びシステムに関する。
【背景技術】
【０００２】
電子商取引において、常に、特別オファーのタイムセールや秒殺等のキャンペーンが行われ、そのキャンペーンの前に商品の登録が必要であり、且つ一般的に登録商品の販売平均価格及び値下げ幅を予め取得することが必要である。これは、値下げ幅に応じて登録商品をソーティングするためである一方、登録商品の販売平均価格及び値下げ幅を売り場ページに表示して、優勢がある値下げ幅を用いて消費者を引き付けるためである。伝統的なやり方では、販売者が商品を登録すると同時に、商品の販売平均価格及び値下げ幅を書き込む。
【０００３】
しかしながら、販売者は、よりよいソーティングを得るため、或いは消費者を引き付けるため、書き込む時に、虚偽を弄して、値下げ幅を誇張する場合がある。従って、データの客観性と真実性に影響を及ぼす。
【発明の概要】
【発明が解決しようとする課題】
【０００４】
上記事情に鑑み、より真実且つ正確な商品値下げ幅を取得することができる商品発表方法を提供することが必要になる。
【課題を解決するための手段】
【０００５】
本発明の商品発表方法は、クライアントが、商品情報を提出し、前記商品情報をサーバーに送信するステップと、前記サーバーが、前記商品情報により、データベースにおいて商品識別子に対応する予定時間帯内の商品注文情報を照会するステップと、前記サーバーが、前記商品注文情報を処理することにより、商品の販売平均価格及び値下げ幅を取得するステップと、前記サーバーが、前記商品情報と、前記商品識別子に対応する前記販売平均価格及び値下げ幅とを記憶するステップと、前記クライアントが、前記商品情報と、販売平均価格及び値下げ幅とを取得して表示するステップと、を含む。
【０００６】
本発明は、クライアントから提出された商品情報を受信するモジュールと、前記商品情報により、データベースにおいて商品識別子に対応する予定時間帯内の商品注文情報を照会する照会モジュールと、前記商品注文情報を処理することにより、商品の販売平均価格及び値下げ幅を取得するための処理モジュールと、前記商品情報と、前記商品識別子に対応する前記販売平均価格及び値下げ幅とを記憶する記憶モジュールと、前記商品情報と、前記商品識別子に対応する前記販売平均価格及び値下げ幅とをクライアントにフィードバックするフィードバックモジュールと、を備え、より真実且つ正確に商品値下げ幅を取得することができる商品発表サーバーを更に提供する。
【０００７】
また、本発明は、前記好ましい実施例のいずれか１つに記載のサーバーと、商品情報を提出し、前記商品情報を前記サーバーに送信し、前記サーバーから前記商品情報と、前記商品識別子に対応する前記販売平均価格及び値下げ幅とを取得して表示するクライアントと、を備え、より真実且つ正確に商品値下げ幅を取得することができる商品発表システムを更に提供する。
【発明の効果】
【０００８】
上記の商品を発表する方法及びシステムにおいて、まず、クライアントが、商品情報を提出して、商品情報をサーバーに送信する。次に、サーバーが、商品情報により、データベースにおいて商品識別子に対応する予定時間帯内の商品注文情報を照会し、商品注文情報を処理することにより、商品の販売平均価格及び値下げ幅を取得する。商品注文情報は、販売状況を客観的に反映するので、商品注文情報により客観的な販売平均価格を得ることができる。販売者は、商品を発表する時に、販売平均価格及び値下げ幅を書き込む必要がなく、システムが商品注文情報に応じて販売平均価格及び値下げ幅を自動的に取得する。従って、上記方法及びシステムによって、販売者が虚偽を弄することを効果的に避けることができ、真実且つ正確な値下げ幅を提供することができる。
【図面の簡単な説明】
【０００９】
【図１】本発明によって提供される商品発表方法を示すフローチャートである。
【図２】一実施例においてサーバーが商品注文情報を処理することにより商品の販売平均価格及び値下げ幅を取得することを示すフローチャートである。
【図３】一実施例における商品発表方法の応用場面を示す図である。
【図４】一実施例においてサーバーがデータリクエストを処理することを示すフローチャートである。
【図５】他の実施例においてサーバーがサーチリクエストを処理することを示すフローチャートである。
【図６】本発明によって提供される商品発表システムの構造を示す図である。
【図７】一実施例における処理モジュールの構造を示す図である。
【図８】一実施例における商品発表システムの構造を示す図である。
【図９】他の実施例における商品発表システムの構造を示す図である。
【発明を実施するための形態】
【００１０】
図１に示すように、本発明によって提供される商品発表方法は以下のステップを含む。
【００１１】
ステップＳ１１０において、クライアントは、商品情報を提出し、商品情報をサーバーに送信する。
【００１２】
一実施例において、商品情報は、商品の現価格及び商品識別子を含む。また、商品情報は、商品の叙述情報や販売数量などを更に含んでもよい。現価格は、販売者により商品登録時に書き込まれた価格である。販売者は、発表しようとする商品を提出する時に商品の商品識別子を選択することができる。或いは、サーバーが商品情報により商品識別子を自動的に選択する。同一の電子商取引プラットフォーム上で、同じ商品は、同一の商品識別子を用いる。
【００１３】
ステップＳ１２０において、サーバーは、商品情報により、データベースにおいて商品識別子に対応する予定時間帯内の商品注文情報を照会する。
【００１４】
サーバーは、商品注文を取り扱う時に、商品注文情報をデータベースに保存する。サーバーは、商品情報を取得した後に、商品識別子に応じて、データベースから対応する商品の商品注文情報を取得することができる。
【００１５】
商品の商品注文情報を取得する時に、予定時間帯内の商品注文情報を取得する必要がある。選択される時間範囲が広すぎと、取得されるデータがリアルタイム性を持たないことがある。選択される時間範囲が狭すぎと、取得されるデータに代表性を持たせない。好ましくは、業務の需要に応じて、当該時間帯の長さを設定することができる。例えば、一週間或いは一ヶ月間の商品注文情報を選択することができる。
【００１６】
ステップＳ１３０において、サーバーは、商品注文情報を処理することにより、商品の販売平均価格及び値下げ幅を取得する。
【００１７】
図２に示すように、一実施例において、上記ステップＳ１３０は、具体的に、以下のステップを含む。
【００１８】
ステップＳ１３１において、サーバーは、商品注文情報における商品販売価格を読み取り、商品販売価格により、予定時間帯内の商品の販売平均価格を求める。具体的には、販売平均価格は、読み取られた商品販売価格の平均値である。
【００１９】
ステップＳ１３３において、サーバーは、商品の現価格を取得し、前記商品の現価格と前記販売平均価格とを比較して、商品の値下げ幅を取得する。具体的に、値下げ幅は、商品現価格と販売平均価格との間の差額である。例えば、サーバーは、最近１０日間の商品注文情報を読み取り、その商品注文情報により求められた販売平均価格が８０元であり、商品の現価格が６０元であると、求められた商品の値下げ幅は２０元である。
【００２０】
一実施例において、ステップＳ１３１の前に、データベースに販売平均価格が存在するか否か判断し、存在する場合は、ステップＳ１３３を実行して、サーバーにより商品現価格を取得し、商品現価格と販売平均価格とを比較して、商品の値下げ幅を取得し、存在しない場合は、ステップＳ１３１を実行して、サーバーにより商品注文情報における商品販売価格を読み取り、商品販売価格により予定時間帯内の商品の販売平均価格を求めるステップを更に含む。
【００２１】
同一の商品が最近バーゲンキャンペーンに参加したので、サーバーのデータベースにその商品の販売平均価格が保存されている可能性がある。販売平均価格が存在する場合、販売平均価格を直接的に取得して値下げ幅を求めるステップに移行し、商品注文情報を再度取得して販売平均価格を求める必要がない。こうすれば、サーバーの運行負荷を減少することができ、運行効率が向上される。
【００２２】
ステップＳ１４０において、サーバーは、商品情報と、商品識別子に対応する販売平均価格及び値下げ幅とを記憶する。
【００２３】
具体的には、サーバーは、クライアントによって提出された商品情報を記憶し、クライアントからのデータリクエストを受信した時に、記憶されている商品情報を呼び出すことができる。本実施例において、サーバーは、更に、商品の販売平均価格および値下げ幅と商品識別子とを対応付けて保存し、クライアントからのデータリクエストに応じて販売者により発表された商品情報を返す時に、販売平均価格及び値下げ幅を商品情報と一緒にクライアントに返す。
【００２４】
ステップＳ１５０において、クライアントは、商品情報と、販売平均価格及び値下げ幅とを取得して表示する。
【００２５】
具体的には、クライアントはサーバーから商品情報と、商品識別子に対応する販売平均価格及び値下げ幅とを取得し、予め設定したフォーマートに従って表示することができる。更に、販売者ページ或いは他の応用ページ（例えばサーチページ）に商品識別子に対応する販売平均価格及び値下げ幅を表示することができる。このように、バイヤーは商品の販売平均価格及び値下げ幅を直接的に閲覧することができ、これらの販売平均価格及び値下げ幅は真実かつ正確である。
【００２６】
図３に示すように、一実施例において、応用場面に合わせて上記の商品発表方法を説明する。本実施例において、販売者は、商品を登録し、商品情報を提出する。サーバーは、商品情報における商品ＩＤを取得し、データベースにおける注文情報記憶ユニットからその商品の注文記録を取り、注文記録から前のある時間帯でのその商品の注文価格を照会する。その後、サーバーは、この注文価格により、上記のステップＳ１３０に従って商品の販売平均価格及び値下げ幅を自動的に求め、販売平均価格及び値下げ幅をデータベースにおける販売平均価格及び値下げ幅記憶ユニットに保存する。
【００２７】
更に、異なる応用場面において、異なるデータリクエストに応じて、販売平均価格及び値下げ幅記憶ユニットにおけるデータを呼び出して表示する。例えば、ユーザーが販売者ページを閲覧する時、販売者ページに商品の販売価格及び値下げ幅を表示する。また、例えば、商品をサーチする時に、サーチページにも商品の販売価格及び値下げ幅を表示する。
【００２８】
図４に示すように、一実施例において、商品発表方法は以下のステップを更に含む。
【００２９】
ステップＳ１６０において、サーバーは、クライアントのデータリクエストを受信し、データリクエストにおける商品識別子により、対応する商品の販売平均価格及び値下げ幅を抽出して、販売平均価格及び値下げ幅をクライアントに返す。
【００３０】
例えば、ユーザーは、クライアントで販売者ページをブラウズし、そのページで販売者によって発表された商品をブラウズする時に、当該商品の販売平均価格及び値下げ幅を取得する必要がある。すると、クライアントは、当該商品の販売平均価格及び値下げ幅を取得するためのデータリクエストをサーバーへ送信し、データリクエストには当該商品の商品識別子が含まれる。サーバーは、商品識別子に応じて、データベースから商品識別子に対応付けて保存された販売平均価格及び値下げ幅を抽出することができる。
【００３１】
ステップＳ１７０において、クライアントは、商品の販売平均価格及び値下げ幅を受信して表示する。
【００３２】
具体的には、クライアントは、商品の販売平均価格及び値下げ幅を受信すると、ユーザーの要求に応じて、対応する位置に表示する。
【００３３】
図５に示すように、他の実施例において、商品発表方法は以下のステップを更に含むことができる。
【００３４】
ステップＳ２６０において、サーバーは、クライアントからのサーチリクエストを受信し、サーチリクエストにおけるキーワードにより、キーワードにマッチする商品サーチ結果をサーチする。
【００３５】
例えば、ユーザーがあるタイプの商品に興味を持ち、クライアントでサーバーへサーチリクエストを送信し、興味のある商品のキーワードを提出すると、サーバーは、サーチリクエスト及びキーワードにより、データベースの商品情報の中でサーチを行い、キーワードにマッチする商品サーチ結果を取得する。
【００３６】
ステップＳ２７０において、商品サーチ結果の商品識別子により、対応する販売平均価格及び値下げ幅を抽出し、販売平均価格及び値下げ幅をクライアントに返す。
【００３７】
サーバーは、まず、商品サーチ結果の商品情報から商品識別子を取得する。販売平均価格及び値下げ幅が商品識別子に対応付けて保存されているため、商品識別子により商品サーチ結果ごとの販売平均価格及び値下げ幅を取得し、その後、販売平均価格及び値下げ幅をクライアントにフィードバックすることができる。
【００３８】
ステップＳ２８０において、クライアントは、商品サーチ結果を表示し、商品の販売平均価格及び値下げ幅を対応的に表示する。
【００３９】
クライアントは、商品サーチ結果と販売平均価格及び値下げ幅とを取得すると、商品サーチ結果を表示し、商品サーチ結果に対応する販売平均価格及び値下げ幅を表示する。また、クライアントは、ユーザーの閲覧が便利になるように、値下げ幅に応じて商品サーチ結果をソーティングする。
【００４０】
図６に示すように、更に、サーバー１００及び複数のクライアント２００を含む商品発表システムを提供する。サーバー１００は、照会モジュール１１０、処理モジュール１２０、記憶モジュール１３０、受信モジュール１７０及びフィードバックモジュール１８０を含む。
【００４１】
クライアント２００は、商品情報を提出し、商品情報をサーバー１００に送信する。
【００４２】
一実施例において、商品情報は、商品の現価格及び商品識別子を含む。また、商品情報は、商品の叙述情報や販売数量などを更に含んでもよい。現価格は、販売者により商品登録時に書き込まれた価格である。販売者は、クライアント２００で発表しようとする商品を提出する時に商品の商品識別子を選択することができる。或いは、サーバーが商品情報により商品識別子を自動的に選択する。同一の電子商取引プラットフォーム上で、同じ商品は、同一商品識別子を用いる。
【００４３】
受信モジュール１７０は、クライアント２００によって提出した商品情報を受信する。
【００４４】
照会モジュール１１０は、商品情報により、データベースにおいて商品識別子に対応する予定時間帯内の商品注文情報を照会する。
【００４５】
商品販売の商品注文情報は、全てシステムのデータベースに保存され、照会モジュール１１０は、商品注文情報を取得した後、商品識別子により、データベースから対応する商品の商品注文情報を取得する。
【００４６】
照会モジュール１１０は、商品の商品注文情報を取得する時に、予定時間帯内の商品注文情報のみを取得する。選択される時間範囲が広すぎと、取得されるデータがリアルタイム性を持たないことがある。選択される時間範囲が狭すぎと、取得されるデータに代表性を持たせない。好ましくは、業務の需要に応じて、当該時間帯の長さを設定することができる。例えば、一週間或いは一ヶ月間の商品注文情報を選択することができる。
【００４７】
処理モジュール１２０は、商品注文情報を処理することにより、商品の販売平均価格及び値下げ幅を取得する。
【００４８】
図７に示すように、一実施例において、処理モジュール１２０は、平均価格取得モジュール１２１及び値下げ幅取得モジュール１２３を含む。
【００４９】
平均価格取得モジュール１２１は、商品注文情報における商品販売価格を読み取り、商品販売価格により、予定時間帯内の商品の販売平均価格を求める。具体的には、販売平均価格は、読み取られた商品販売価格の平均値である。
【００５０】
値下げ幅取得モジュール１２３は、商品の現価格を取得し、前記商品の現価格と前記販売平均価格とを比較して、商品の値下げ幅を取得する。
【００５１】
具体的に、値下げ幅は、商品の現価格と販売平均価格との間の差額である。例えば、サーバーは、最近１０日間の商品注文情報を読み取り、その商品注文情報により求められた販売平均価格が８０元であり、商品の現価格が６０元であると、求められた商品の値下げ幅は２０元である。
【００５２】
一実施例において、処理モジュール１２０は、判断モジュール（図示せず）を更に含み、判断モジュールは、データベースに販売平均価格が存在するか否かを判断し、存在する場合は、値下げ幅取得モジュール１２３に通知して商品の現価格を取得し、商品の現価格と販売平均価格とを比較して、商品の値下げ幅を取得し、存在しない場合は、平均価格取得モジュール１２１に通知して商品注文情報における商品販売価格を読み取り、商品販売価格により予定時間帯内の商品の販売平均価格を求める。
【００５３】
同一商品が最近バーゲンキャンペーンに参加したので、サーバーのデータベースにその商品の販売平均価格が保存されている可能性がある。販売平均価格が存在する場合、値下げ幅取得モジュール１２３は、販売平均価格を直接的に取得して値下げ幅を求めることができ、商品注文情報を再度取得して販売平均価格を求める必要がない。こうすれば、サーバーの運行負荷を減少することができ、運行効率が向上される。
【００５４】
記憶モジュール１３０は、商品情報と、商品識別子に対応する販売平均価格及び値下げ幅とを記憶する。
【００５５】
具体的には、記憶モジュール１３０は、クライアントによって提出された商品情報を記憶し、クライアントからのデータリクエストを受信した時に、記憶されている商品情報を呼び出すことができる。本実施例において、記憶モジュール１３０は、商品の販売平均価格及び値下げ幅と商品識別子とを対応付けて保存し、記憶モジュール１３０は、クライアントからのデータリクエストに応じて販売者により発表された商品情報を返す時に、販売平均価格及び値下げ幅を商品情報と一緒にクライアント２００に返す。
【００５６】
フィードバックモジュール１８０は、商品情報、商品識別子に対応する販売平均価格及び値下げ幅をクライアントにフィードバックする。更に、クライアント２００は、サーバー１００から商品情報と、商品識別子に対応する販売平均価格及び値下げ幅とを取得して表示することができる。
【００５７】
図８に示すように、一実施例において、商品発表システムのサーバー１００は、データリクエスト処理モジュール１４０を更に含み、クライアント２００は、表示モジュール２１０を更に含む。
【００５８】
そのうち、データリクエスト処理モジュール１４０は、クライアント２００のデータリクエストを受信し、データリクエストにおける商品識別子により、対応する商品の販売平均価格及び値下げ幅を抽出し、フィードバックモジュール１８０を呼び出して対応する販売平均価格及び値下げ幅をクライアント２００に返す。
【００５９】
例えば、ユーザーは、クライアント２００で販売者ページをブラウズし、そのページで販売者によって発表された商品をブラウズする時に、当該商品の販売平均価格及び値下げ幅を取得する必要がある。すると、クライアント２００は、データリクエスト処理モジュール１４０へ、当該商品の販売平均価格及び値下げ幅を取得するためのデータリクエストを送信し、データリクエストには当該商品の商品識別子が含まれる。データリクエスト処理モジュール１４０は、商品識別子に応じて、データベースから商品識別子に対応付けて保存された販売平均価格及び値下げ幅を抽出することができる。
【００６０】
表示モジュール２１０は、対応する商品の販売平均価格及び値下げ幅を受信して表示する。
【００６１】
具体的には、クライアント２００が商品の販売平均価格及び値下げ幅を受信すると、表示モジュール２１０は、ユーザーの要求に応じて、対応する位置に表示する。
【００６２】
図９に示すように、他の実施例において、サーバー１００は、サーチモジュール１５０及び抽出モジュール１６０を更に含む。クライアント２００は、表示モジュール２１０を含む。
【００６３】
そのうち、サーチモジュール１５０は、クライアントからのサーチリクエストを受信し、サーチリクエストにおけるキーワードにより、キーワードにマッチする商品サーチ結果をサーチする。
【００６４】
例えば、ユーザーがあるタイプの商品に興味を持ち、クライアントでサーバーへサーチリクエストを送信し、興味のある商品のキーワードを提出すると、サーバーは、サーチリクエスト及びキーワードにより、データベースの商品情報の中でサーチを行い、キーワードにマッチする商品サーチ結果を取得する。
【００６５】
抽出モジュール１６０は、商品サーチ結果の商品識別子により、対応する販売平均価格及び値下げ幅を抽出し、フィードバックモジュール１８０を呼び出して対応する販売平均価格及び値下げ幅をクライアントに返す。
【００６６】
抽出モジュール１６０は、まず、商品サーチ結果の商品情報から商品識別子を取得する。販売平均価格及び値下げ幅が商品識別子に対応付けて保存されているため、抽出モジュール１６０は、商品識別子により、商品サーチ結果ごとの販売平均価格及び値下げ幅を取得し、その後、販売平均価格及び値下げ幅をクライアントにフィードバックすることができる。
【００６７】
表示モジュール２１０は、商品サーチ結果を表示し、商品の販売平均価格及び値下げ幅を対応的に表示する。
【００６８】
クライアント２００が商品サーチ結果と販売平均価格及び値下げ幅とを取得すると、表示モジュール２１０は、商品サーチ結果を表示し、商品サーチ結果に対応する販売平均価格及び値下げ幅を表示する。また、クライアント２００は、ユーザーの閲覧が便利になるように、値下げ幅に応じて商品サーチ結果をソーティングする。
【００６９】
上記の商品を発表する方法及びシステムにおいて、まず、クライアントが、商品情報を提出して、商品情報をサーバーに送信する。次に、サーバーが、商品情報により、データベースから商品識別子に対応する予定時間帯内の商品注文情報を照会し、商品注文情報を処理することにより、商品の販売平均価格及び値下げ幅を取得する。商品注文情報は、販売状況を客観的に反映するので、商品注文情報により客観的な販売平均価格を得ることができる。販売者は、商品を発表する時に、販売平均価格及び値下げ幅を書き込む必要がなく、システムが商品注文情報により販売平均価格及び値下げ幅を自動的に取得する。従って、上記方法及びシステムによって、販売者が虚偽を弄することを効果的に避けることができ、また、真実且つ正確な値下げ幅を提供することができる。
【００７０】
以上の実施例は、本発明のいくつかの実施形態のみを提示するもので、それに対する説明は、具体的であり、且つ詳細であるが、本発明は、前述した実施例に限定されるものではない。なお、当業者には、発明の要旨を逸脱しない範囲内で、若干の変更及び改善を行うことができる。これも、本発明が保護する範囲に含まれる。従って、本発明が保護する範囲は、添付の特許請求の範囲により定める。
【符号の説明】
【００７１】
１００  サーバー
１１０  照会モジュール
１２０  処理モジュール
１２１  平均価格取得モジュール
１２３  値下げ幅取得モジュール
１３０  記憶モジュール
１４０  データリクエスト処理モジュール
１５０  サーチモジュール
１６０  抽出モジュール
１７０  受信モジュール
１８０  フィードバックモジュール
２００  クライアント
２１０  表示モジュール
【図１】
2014521136.tif 000003
【図２】
2014521136.tif 000004
【図３】
2014521136.tif 000005
【図４】
2014521136.tif 000006
【図５】
2014521136.tif 000007
【図６】
2014521136.tif 000008
【図７】
2014521136.tif 000009
【図８】
2014521136.tif 000010
【図９】
2014521136.tif 000011
【国際調査報告】
2014521136.tif 000012
2014521136.tif 000013
2014521136.tif 000014
2014521136.tif 000015